(57)【要約】【課題】弱電界の入力信号レベルを高速に検出・判定し、ノイズキャンセル部の動作を開始あるいは停止する制御を行う。【解決手段】この目的を達成するために、第２のＡＧＣ電圧が予め定められた基準電圧と比較されることにより入力端子１１７への入力信号レベルを判定する信号レベル判定回路１４９と、アンテナ１１９と増幅器１３９との間に接続されるとともにアンテナ１１９に飛び込んだノイズ信号をノイズキャンセルするノイズキャンセル部１２７を設け、信号レベル判定回路１４９の判定結果に基づいてノイズキャンセル部１２７を制御する。【選択図】図１
2009253314.tif 000002
【特許請求の範囲】
【請求項１】
内蔵されたノイズ発生源のノイズ信号がアンテナを介して飛び込む高周波受信部であって、前記アンテナからのテレビ信号が入力される入力端子と、この入力端子からの前記テレビ信号が供給されるとともに第１の利得制御器から出力される第１のＡＧＣ（利得制御）電圧により利得制御される第１の増幅器と、この第１の増幅器からの信号が入力される混合器と、この混合器からの信号が供給されるとともに第２の利得制御器から出力される第２のＡＧＣ電圧により利得制御される第２の増幅器と、前記第２の増幅器からの信号が供給される復調部を備え、前記第２のＡＧＣ電圧が予め定められた基準電圧と比較されることにより前記入力端子への入力信号レベルを判定する信号レベル判定回路と、前記アンテナと前記第１の増幅器との間に接続されるとともに前記アンテナに飛び込んだ前記ノイズ信号をノイズキャンセルするノイズキャンセル部を設け、前記信号レベル判定回路の判定結果に基づいて前記ノイズキャンセル部を制御する高周波受信部。
【請求項２】
前記ノイズキャンセル部は、ノイズキャンセル用信号の位相および利得をそれぞれ調整するキャンセル信号生成回路と、前記アンテナからの前記テレビ信号が一方の入力に供給されるとともに前記キャンセル信号生成回路から出力される前記ノイズキャンセル用信号が他方の入力に供給された合成回路が設けられる請求項１に記載の高周波受信部。
【請求項３】
前記アンテナに飛び込んで前記入力端子に入力される前記ノイズ信号レベルに対して大きいレベルの前記テレビ信号が入力された場合の前記第２のＡＧＣ電圧を第１の基準電圧とし、前記ノイズ信号および前記テレビ信号が前記入力端子に入力されない場合の前記第２のＡＧＣ電圧を下限電圧とし、前記第２のＡＧＣ電圧が前記第１の基準電圧と前記下限電圧との間の電圧の場合に、前記ノイズキャンセル部を動作させる請求項２に記載の高周波受信部。
【請求項４】
受信限界点近傍における前記テレビ信号が入力される場合の前記第２のＡＧＣ電圧を第２の基準電圧とし、前記ノイズ信号および前記テレビ信号が前記入力端子に入力されない場合の前記第２のＡＧＣ電圧を下限電圧とし、前記第２のＡＧＣ電圧が前記第２の基準電圧と前記下限電圧の間の電圧において前記キャンセル信号生成回路からのノイズキャンセル信号を保持し、この保持したノイズキャンセル信号を前記合成回路に供給する請求項２に記載の高周波受信部。
【請求項５】
前記復調部は、前記第２の増幅器からの信号が供給されるとともにアナログ信号をデジタル信号に変換するＡ／Ｄコンバータと、このＡ／Ｄコンバータの出力信号が供給されるとともに妨害信号を抑圧するフィルタと、このフィルタからの出力信号が供給されるとともにトランスポートストリーム信号を出力する復調器が設けられ、前記フィルタの出力信号が前記第２の利得制御器に入力される請求項１に記載の高周波受信部。
【請求項６】
請求項１に記載の高周波受信部からの出力信号が供給されるデコード部と、このデコード部からの出力信号が一方の入力に供給されるベースバンド信号処理部と、このベースバンド信号処理部に接続されるとともに画像信号を表示する画像表示部と、少なくとも前記高周波受信部および前記画像表示部を制御するとともに前記信号レベル判定回路から出力されるレベル判定信号が入力されるシステム制御部を設け、前記画像表示部、前記ベースバンド信号処理部、前記システム制御部のいずれかのノイズ発生源に近接するとともに前記ノイズ信号を抽出するピックアップアンテナを設けた高周波機器。
【請求項７】
前記システム制御部は、前記ノイズキャンセル部により得られた位相および利得の最適データを受信チャンネル毎に記憶し、この記憶データに基づいて受信チャンネル毎に前記ノイズキャンセル部を制御する請求項６に記載の高周波機器。
【請求項８】
前記ノイズキャンセル部は、複数のキャンセル信号生成回路と、これら複数のキャンセル信号生成回路から出力されるノイズキャンセル用信号がそれぞれ入力される合成回路からなり、前記複数のキャンセル信号生成回路の入力には複数のノイズ発生源に近接してそれぞれ配置された複数のピックアップアンテナがそれぞれ接続される請求項６に記載の高周波機器。
【請求項９】
前記テレビ信号を受信する第１、第２のアンテナからの信号がそれぞれ供給される第１、第２のノイズキャンセル部と、前記第１のノイズキャンセル部からの信号が第１の入力に供給されるとともに少なくとも第１、第２の増幅器と第１の混合器と第１、第２の利得制御器が設けられた第１のチューナ部と、前記第２のノイズキャンセル部からの信号が第２の入力に供給されるとともに少なくとも第３、第４の増幅器と第２の混合器と第３、第４の利得制御器が設けられた第２のチューナ部と、前記第１、第２のチューナ部からの信号がそれぞれ供給される第１、第２の復調部と、これら第１、第２の復調部からの信号がそれぞれ供給されるとともにダイバシティ制御と復号化を行うダイバシティ・デコード部と、前記第１、第２のチューナ部内に第１、第２の信号レベル判定回路をどちらか一方あるいは両方に設けた請求項１に記載の高周波受信部。
【発明の詳細な説明】
【技術分野】
【０００１】
本発明は、携帯電話、携帯式のゲーム機、携帯式のコンピュータ、携帯式の辞書、カーナビゲーション等のように、画像表示部を有し、その画像表示部に対して画像形成部からの信号で画像を表示する高周波受信部とこれを用いた高周波機器に関するものである。
【背景技術】
【０００２】
近年の上記高周波機器は、部品の小型化、半導体素子の集積化がますます進んだことから、非常に軽く、また小型化が進んでいる。このため、高周波機器の機能をますます充実する試みも活発に行われている。
【０００３】
これにより、高周波機器では、携帯電話、携帯式のゲーム機、携帯式のコンピュータ、携帯式の辞書、カーナビゲーション等の機能を有し、さらにテレビ放送を視聴できるようになっている。
【０００４】
なお、この出願の発明に関連する先行技術文献情報としては、例えば、特許文献１が知られている。
【特許文献１】特開２００８−２２２９４号公報
【発明の開示】
【発明が解決しようとする課題】
【０００５】
しかしながら、従来の高周波機器では、この高周波機器から出力されるクロック信号やその高調波信号の一部がノイズ信号となって、アンテナに飛び込んだ。これにより、弱電界における受信品質が劣化した。
【０００６】
この受信品質の劣化をＢＥＲ、あるいはＣ／Ｎにより判定し、この判定結果に基づいて、アンテナに飛び込んだノイズ信号をノイズキャンセル部によりノイズキャンセルでき、弱電界の入力信号レベルの受信品質を改善した。
【０００７】
ところが、この受信品質の劣化をＢＥＲ、あるいはＣ／Ｎにより判定しているので長い判定時間を必要とした。このため、弱電界受信であって、さらに移動中に生じるフェージング等により刻々と変化する受信条件に対応できず、受信品質の劣化する場合が発生した。
【０００８】
このため、ノイズキャンセル部を用いたノイズキャンセルの動作は、弱電界の入力信号レベル以外においても常に動作させる必要があるので、低消費電力とした高周波機器には不向きであった。
【０００９】
このように、弱電界の入力信号レベルを高速に検出・判定し、ノイズキャンセル部の動作を開始あるいは停止する制御を行うことを目的とするものである。
【課題を解決するための手段】
【００１０】
この目的を達成するために、本発明の高周波受信部は、第２のＡＧＣ電圧が予め定められた基準電圧と比較されることにより入力端子への入力信号レベルを判定する信号レベル判定回路と、アンテナと第１の増幅器との間に接続されるとともに前記アンテナに飛び込んだノイズ信号をノイズキャンセルするノイズキャンセル部を設け、前記信号レベル判定回路の判定結果に基づいて前記ノイズキャンセル部を制御する。
【００１１】
これにより所期の目的を達成するものである。
【発明の効果】
【００１２】
以上のように、本発明の高周波受信部では、第２のＡＧＣ電圧が予め定められた基準電圧と比較されることにより入力端子への入力信号レベルを判定する信号レベル判定回路と、アンテナと第１の増幅器との間に接続されるとともに前記アンテナに飛び込んだノイズ信号をノイズキャンセルするノイズキャンセル部を設け、前記信号レベル判定回路の判定結果に基づいて前記ノイズキャンセル部を制御する。
【００１３】
これにより、例えば弱電界受信であって、さらに移動中に生じるフェージングにより受信レベルが刻々と変化する受信状態であっても、第２の利得制御電圧を用いた信号レベル判定回路により入力信号レベルを高速に検出・判定できる。
【００１４】
従って、例えば弱電界でのみノイズキャンセル部を動作することができるので、低消費電力とした高周波機器を実現できる。
【発明を実施するための最良の形態】
【００１５】
（実施の形態１）
以下、本発明の実施の形態１について、図１を用いて説明する。図１は、高周波機器１０１のブロック図である。本発明の実施の形態では一実施例として、ＵＨＦ帯を用いた１セグメント放送信号である高周波信号を受信できる高周波機器１０１について説明する。
【００１６】
この高周波機器１０１は、アンテナ１１９が接続されるアンテナ整合部１２６と、高周波信号を受信する高周波受信部１０３と、携帯電話、携帯式のゲーム機、携帯式のコンピュータ、携帯式の辞書、カーナビゲーション等の機能を有する本体部１０５と、高周波受信部１０３の出力端子１２１が接続されるデコード部１２２と、このデコード部１２２の出力が入力１０７ａに接続されるとともに入力１０７ｂに本体部１０５の出力が接続されているベースバンド信号処理部１０７と、このベースバンド信号処理部１０７からの信号がそれぞれ供給される画像表示部１０９、音声出力部１１１と、ベースバンド信号処理部１０７、高周波受信部１０３、本体部１０５等を制御するシステム制御部１１３から構成されている。
【００１７】
また、ベースバンド信号処理部１０７とシステム制御部１１３とにより画像形成部１１５が構成されている。
【００１８】
アンテナ整合部１２６は、入力から出力に向かって順に、アンテナ１１９の入力インピーダンスを整合させる整合器１２４、高周波信号を増幅する高周波増幅器１２５が接続されている。
【００１９】
高周波受信部１０３は、テレビ信号が供給される入力端子１１７と、ＴＳ（トランスポートストリーム）信号が出力される出力端子１２１が設けられている。
【００２０】
この入力端子１１７から出力端子１２１に向かって順に、アンテナ１１９に飛び込んだノイズ信号をキャンセルするノイズキャンセル部１２７、チューナ部１２９、デジタル信号を復調する復調部１３０が接続されている。
【００２１】
最初に、ノイズキャンセル部１２７の構成について説明する。このノイズキャンセル部１２７は、ノイズキャンセル部１２７の入力、出力に対して入力１３１ａ、出力１３１ｂがそれぞれ接続された合成回路１３１と、合成回路１３１の入力１３１ｃに出力が接続されたキャンセル信号生成回路１３３とから構成されている。
【００２２】
このキャンセル信号生成回路１３３の入力には、ピックアップアンテナ１３５により抽出されたノイズ信号が配線部１３８を介して入力される。
【００２３】
次に、チューナ部１２９には、入力から出力に向かって順に、利得制御入力１３９ａを有する増幅器１３９、この増幅器１３９の出力が一方の入力に接続された混合器１４１、妨害信号を抑圧するフィルタ１４３、利得制御入力１４５ａを有する増幅器１４５が設けられ、混合器１４１の他方の入力にはＰＬＬ回路１４２に制御される発振器１４２ａが接続されている。
【００２４】
また、混合器１４１の出力と利得制御入力１３９ａとの間には、利得制御器１３７が接続されている。さらに、利得制御器１４７の出力は、利得制御入力１４５ａ、および信号レベル判定回路１４９の入力に接続されている。
【００２５】
次に、復調部１３０は、入力から出力端子１２１に向かって順に、アナログ信号をデジタル信号に変換するＡ／Ｄコンバータ１５１、妨害信号を抑圧するフィルタ１５３、復調信号を出力する復調器１５５が接続されている。
【００２６】
また、復調器１５５から出力されるＢＥＲ、あるいはＣ／Ｎの受信品質信号は受信品質判定回路１５６に入力されている。さらに、フィルタ１５３の出力信号は、利得制御器１４７の入力に接続されている。
【００２７】
このように構成された高周波機器１０１の動作について図１を用いて以下説明する。
【００２８】
最初に、本体部１０５、画像形成部１１５、画像表示部１０９、音声出力部１１１の動作について説明する。本体部１０５は、携帯電話、携帯式のゲーム機、携帯式のコンピュータ、携帯式の辞書、カーナビゲーション等の機能を有している。この本体部１０５から出力される例えばベースバンド信号は、ベースバンド信号処理部１０７に入力される。
【００２９】
これら高周波受信部１０３、本体部１０５、ベースバンド信号処理部１０７、画像表示部１０９、ノイズキャンセル部１２７は、システム制御部１１３等により制御されている。このベースバンド信号処理部１０７から出力される映像信号は、画像表示部１０９により画像が表示され、また、ベースバンド信号処理部１０７から出力される音声信号は、音声出力部１１１により音声とされる。
【００３０】
次に、アンテナ整合部１２６、高周波受信部１０３の動作について説明する。テレビ放送信号がアンテナ１１９により受信され、アンテナ整合部１２６に入力される。このアンテナ整合部１２６はアンテナ１１９側の整合器１２４とその後続の高周波増幅器１２５により構成されている。これによりインピーダンス整合を図ることができ、たとえアンテナ１１９を短くした場合においても受信感度を確保することができる。
【００３１】
さらに、ノイズキャンセル部１２７では、ノイズ発生源からアンテナ１１９に飛び込んだノイズ信号がノイズキャンセルされ、その後チューナ部１２９に入力される。このチューナ部１２９の出力からは、利得制御されるとともに混合器１４１により周波数変換された中間周波信号あるいはベースバンド信号が出力される。
【００３２】
この中間周波信号あるいはベースバンド信号は復調部１３０に入力され、さらに、復調信号が出力端子１２１を介して出力される。
【００３３】
さらに、この復調信号は、デコード部１２２に入力される。このデコード部１２２からは、ＴＳ信号が出力される。このＴＳ信号は、ベースバンド信号処理部１０７に入力されて映像信号と音声信号が出力され、画像表示部１０９、音声出力部１１１により視聴できる。
【００３４】
また、システム制御部１１３は、高周波受信部１０３の受信チャンネルを選択し、さらに復調部１３０、デコード部１２２等をシステム制御することができる。このようにして、主に高周波受信部１０３、画像形成部１１５、画像表示部１０９、音声出力部１１１により、テレビ信号を受信できる。
【００３５】
ところが、このテレビ受信可能な高周波受信部１０３が内蔵される高周波機器１０１には、携帯電話、携帯式のゲーム機、携帯式のコンピュータ、携帯式の辞書、カーナビゲーション等が機能アップされ、さらに小型化サイズとされる。
【００３６】
この結果、例えば画像形成部１１５、画像表示部１０９を制御するためのそれぞれのクロック信号の高調波信号、あるいは発振器の高調波信号が、ＵＨＦのテレビ信号の周波数と一致する。
【００３７】
このクロック信号、発振器の高調波信号により、弱電界地域における受信品質は劣化した。この弱電界地域における受信品質を改善するためのノイズキャンセル部１２７の動作について、以下説明する。
【００３８】
このノイズキャンセル部１２７には、ノイズ発生源に近接して配置されたピックアップアンテナ１３５が接続されている。このピックアップアンテナ１３５により抽出されたノイズ信号は、キャンセル信号生成回路１３３に設けられた位相器、増幅器において位相調整、レベル調整が行われ、ノイズキャンセル用信号となって合成回路１３１の入力１３１ｃに入力される。
【００３９】
このようにしてアンテナ１１９に飛び込んだノイズ信号がノイズキャンセルされたテレビ信号は、チューナ部１２９を介して復調部１３０に入力される。この復調部１３０に設けられた復調器１５５から出力される例えばＢＥＲ、あるいはＣ／Ｎ等の受信品質信号が受信品質判定回路１５６により検出され判定される。
【００４０】
この判定信号はシステム制御部１１３に入力される。このシステム制御部１１３からの制御信号はノイズキャンセル部１２７の制御端子１２７ａに入力され、キャンセル信号生成回路１３３において位相調整、振幅調整が行われる。
【００４１】
この一連の動作を繰り返し行うことにより、キャンセル信号生成回路１３３の位相、振幅を最適な値に設定し、アンテナ１１９に飛び込んだノイズ信号を最終的にキャンセルすることができる。
【００４２】
このノイズ発生源からアンテナ１１９に飛び込んだノイズ信号をノイズキャンセル部１２７においてノイズキャンセルする様子を以下説明する。
【００４３】
図２（ａ）は、ノイズキャンセル部１２７によるノイズキャンセル前の復調部１３０への入力信号を示す図であり、テレビ信号１６５および総てのノイズ信号１６７をそれぞれ表している。
【００４４】
なお、弱電界として例えば入力信号レベル２０２ｄ（−１００ｄＢｍ）が入力端子１１７に入力されている場合を表している。この入力信号レベル２０２ｄ（−１００ｄＢｍ）は、図３（ａ）、（ｂ）において後述する。また、横軸は周波数１６１であり、縦軸は信号レベル１６３を表している。
【００４５】
図２（ａ）において、総てのノイズ信号１６７は、ボルツマン定数の関係する熱雑音電力Ｐｎと高周波受信部１０３の雑音指数ＮＦの合成である熱雑音信号１６７ａと、ノイズ発生源からアンテナ１１９への飛び込みによるノイズ信号１６７ｂからなり、このノイズ信号１６７ｂのレベルが熱雑音信号１６７ａより大きい場合を表している。
【００４６】
このアンテナ１１９への飛び込みによるノイズ信号１６７ｂにより、テレビ信号１６５のＣ／Ｎが劣化し、受信品質が損なわれることになる。
【００４７】
図２（ｂ）は、ノイズキャンセル部１２７によるノイズキャンセルしたあとの復調部１３０への入力信号を示す図であり、アンテナ１１９への飛び込みによるノイズ信号１６７ｂがノイズキャンセルされている様子を表している。
【００４８】
このように、テレビ信号１６５に対して熱雑音信号１６７ａのみとできるので、入力信号レベルのＣ／Ｎを改善でき弱電界における受信品質が損なわれることがない。
【００４９】
例えば、１セグメント受信の受信感度Ｐは、熱雑音電力Ｐｎ、ビタビ訂正後の所要Ｃｏ／Ｎｏ、高周波受信部３０３の雑音指数により、（数１）のように表すことができる。
【００５０】
【数１】
2009253314.tif 000003
【００５１】
さらに、熱雑音電力Ｐｎは、（数２）のように表すことができる。
【００５２】
【数２】
2009253314.tif 000004
【００５３】
これにより、受信感度Ｐは、（数３）のように表すことができる。
【００５４】
【数３】
2009253314.tif 000005
【００５５】
つまり、１ｓｅｇ受信時の受信感度は、雑音指数を５ｄＢとした場合には、およそ入力信号レベル２０２ｆ（−１０８ｄＢｍ）とできる。この入力信号レベル２０２ｆ（−１０８ｄＢｍ）は、図３（ａ）、（ｂ）において後述する。
【００５６】
次に、ノイズキャンセルを必要とする弱電界の受信レベルを瞬時に検出・判定できる信号レベル判定回路１４９について図３（ａ）、（ｂ）を用いて以下説明する。
【００５７】
図３（ａ）は、入力端子１１７における入力信号レベル２０２に対する増幅器１３９の第１の利得制御電圧（以下、ＡＧＣ電圧という）２０１の特性図である。
【００５８】
なお、横軸は入力信号レベル２０２であり、縦軸は電圧２１３である。また、入力信号レベル２０２ｃを略−１１５ｄＢｍ、入力信号レベル２０２ｂを略−５０ｄＢｍとし、入力信号レベル２０２ａを略０ｄＢｍとしている。
【００５９】
図３（ａ）において、第１のＡＧＣ電圧２０１は、第１のＡＧＣ電圧２０１ａと第１のＡＧＣ電圧２０１ｂとからなっている。
【００６０】
この第１のＡＧＣ電圧２０１ａは、入力信号レベル２０２ａ（０ｄＢｍ）〜入力信号レベル２０２ｂ（−５０ｄＢｍ）の強電界の受信信号が入力された場合のＡＧＣ電圧であり、混合器１４１の出力レベルを一定レベルに利得制御する。
【００６１】
また、この第１のＡＧＣ電圧２０１ａは、入力信号レベル２０２ａ（０ｄＢｍ）が入力された場合に最小利得となる上限電圧２１３ａを有している。
【００６２】
一方、第１のＡＧＣ電圧２０１ｂは、入力信号レベル２０２ｂ（−５０ｄＢｍ）〜入力信号レベル２０２ｃ（−１１５ｄＢｍ）の入力信号レベルに対するＡＧＣ電圧であり、増幅器１３９を最大利得としている。
【００６３】
また、第１のＡＧＣ電圧２０１ｂは、入力信号レベル２０２ｃ（−１１５ｄＢｍ）が入力された場合に最大利得となる下限電圧２１３ｂを有している。
【００６４】
図３（ｂ）は、入力端子１１７における入力信号レベルに対する増幅器１４５の第２のＡＧＣ電圧２１１の特性図である。
【００６５】
この第２のＡＧＣ電圧２１１は、利得制御器１４７から出力され、増幅器１４５を利得制御している。この利得制御器１４７の入力には、フィルタ１５３に例えばデジタルフィルタを用いることによりフィルタ１４３とともに妨害信号の抑圧された希望信号のみを入力することができる。
【００６６】
これにより、増幅器１４５から出力される希望信号を一定レベルに制御することができる。この希望信号レベルは、弱電界の受信状態では図２（ａ）、（ｂ）のテレビ信号１６５が小さくなり、その結果Ｃｏ／Ｎｏ１６５ａが劣化することになる。
【００６７】
これから明らかなように、利得制御器１４７から出力される第２のＡＧＣ電圧２１１ｂ、２１１ｃを用いることにより、信号レベル判定回路１４９で入力信号レベルを判定することができる。
【００６８】
図３（ｂ）において、第２のＡＧＣ電圧２１１は、第２のＡＧＣ電圧２１１ａと第２のＡＧＣ電圧２１１ｂ、２１１ｃとからなっている。
【００６９】
この第２のＡＧＣ電圧２１１ａは、入力信号レベル２０２ａ（０ｄＢｍ）〜入力信号レベル２０２ｂ（−５０ｄＢｍ）の強電界の受信信号が入力された場合のＡＧＣ電圧であり、この第２のＡＧＣ電圧２１１ａにより増幅器１４５の出力レベルを最小レベルになるように最小利得としている。
【００７０】
また、第２のＡＧＣ電圧２１１ｂは、アンテナ１１９への飛び込みによるノイズ信号による影響がない場合を表す。第２のＡＧＣ電圧２１１ｃは、アンテナ１１９への飛び込みによるノイズ信号による影響がある場合を表す。
【００７１】
さらに、この第２のＡＧＣ電圧２１１ａは、入力信号レベル２０２ａ（０ｄＢｍ）が入力された場合に最小利得となる上限電圧２２３ａを有している。
【００７２】
さらに、第２のＡＧＣ電圧２１１ｂ、２１１ｃは、入力信号レベル２０２ｂ（−５０ｄＢｍ）〜入力信号レベル２０２ｃ（−１１５ｄＢｍ）の入力信号レベルに対するＡＧＣ電圧であり、増幅器１３９を最大利得としている。
【００７３】
この第２のＡＧＣ電圧２１１ｂにおいて、（数１）より受信感度である入力信号レベル２０２ｆ（−１０８ｄＢｍ）では第２の基準電圧２２３ｂとし、さらに小さい入力信号レベル２０２ｃ（−１１５ｄＢｍ）では最大利得となる下限電圧２２３ｃを有している。
【００７４】
一方、第２のＡＧＣ電圧２１１ｃは、無信号時あるいは入力信号レベル２０２ｃ（−１１５ｄＢｍ）が入力された場合に下限電圧２２３ｃに到達せず一定の電圧２２３ｄとなっている。これは、ノイズ発生源からのノイズ信号がアンテナ１１９に飛び込んだためであり、この場合のノイズ信号レベルを入力信号レベル２０２ｄ（−１００ｄＢｍ）とする。
【００７５】
つまり、第２のＡＧＣ電圧２１１ｃは、アンテナ１１９への飛び込みによるノイズ信号をノイズキャンセル部１２７によりノイズキャンセルすることにより、第２のＡＧＣ電圧２１１ｂに近づけることができる。
【００７６】
このように、第２のＡＧＣ電圧２１１ｃは、復調部１３０に入力される入力信号レベルに応じて変化している。従って、この第２のＡＧＣ電圧２１１ｃを信号レベル判定回路１４９に入力し、予め定められた第１の基準電圧２２３ｅと比較・判定することにより、復調部１３０への入力信号レベルを把握できる。
【００７７】
この第１の基準電圧２２３ｅとは、テレビ信号を無信号とし、アンテナ１１９への飛び込みによるノイズ信号がアンテナ１１９に飛び込むことにより発生する電圧２２３ｄに近接し、かつアンテナ１１９に飛び込んだノイズ信号レベルより大きいテレビ信号が入力された場合の第２のＡＧＣ電圧２１１ｃにおける電圧としている。この場合の大きなテレビ信号は、例えば入力信号レベル２０２ｅ（−９５ｄＢｍ）とできる。
【００７８】
つまり、この第１の基準電圧２２３ｅとは、無信号時に発生する第２のＡＧＣ電圧２１１ｃの電圧２２３ｄに近接し、かつ入力端子１１７においてアンテナ１１９へ飛び込んだノイズ信号に対して大きいテレビ信号が入力された場合の電圧とすればよい。
【００７９】
また、第２のＡＧＣ電圧２１１ｂは、入力端子１１７に対してノイズ発生源からのノイズ信号およびテレビ信号が入力されない場合には、下限電圧２２３ｃとなる。
【００８０】
従って、第２のＡＧＣ電圧２１１ｃが第１の基準電圧２２３ｅと下限電圧２２３ｃの間の電圧である斜線の領域２２５の場合には、受信感度点に近接した弱電界入力信号レベルと判定できる。この受信感度点は入力信号レベル２０２ｆ（−１０８ｄＢｍ）であり、後述する。
【００８１】
この判定結果により、ノイズキャンセル部１２７を動作させることにより、アンテナ１１９に飛び込んだノイズ信号をノイズキャンセルすることができる。
【００８２】
また、この第２のＡＧＣ電圧２１１は、信号レベルを直接検波した電圧であるので、瞬時に信号レベルの大きさに応じた電圧が出力される。このため、移動中にフェージング等によりテレビ受信レベルが変動したとしても、信号レベル判定回路１４９は入力端子１１７への入力信号レベルを瞬時に判定できる。
【００８３】
以上のように、信号レベル判定回路１４９により増幅器１４５の第２のＡＧＣ電圧２１１ｃを第１の基準電圧２２３ｅと比較・判定する。
【００８４】
これにより、弱電界受信であって、また刻々と変化する移動中の受信状態であっても、高周波機器１０１内のノイズ発生源から輻射されたノイズ信号がアンテナ１１９に飛び込むことにより受信品質が劣化する受信条件を瞬時に判定することができる。
【００８５】
この判定結果に基づいて、ノイズキャンセル部１２７の動作を開始し、アンテナ１１９に飛び込んだノイズ信号をノイズキャンセル部１２７によりノイズキャンセルし、テレビ信号受信時の受信品質の劣化を改善できる。
【００８６】
一方、受信条件のよい場合には、ノイズキャンセル部１２７の動作を停止できるので、低消費電力とした高周波機器１０１を実現できる。
【００８７】
次に、ノイズキャンセル部１２７によりノイズキャンセルが行われ、入力信号レベル２０２ｆ（−１０８ｄＢｍ）を受信できる限界レベルである受信感度となった場合について説明する。
【００８８】
この受信感度点では、図２（ａ）のアンテナに飛び込むことにより発生したノイズ信号１６７ｂはノイズキャンセルされるが、図２（ｂ）におけるテレビ信号と熱雑音信号１６７ａとの比であるＣ／Ｎ１６５ａは、（数１）より５．０ｄＢと小さい状態となっている。
【００８９】
実際の実験では、アンテナ１１９に飛び込んだノイズ信号１６７ｂをノイズキャンセルしても受信感度の改善とならなかった。むしろ、受信品質が悪化することが発生した。
【００９０】
これは、アンテナ１１９に飛び込んだノイズ信号１６７ｂが、ノイズキャンセルされて、熱雑音信号１６７ａのレベルに近接してくる。この熱雑音信号１６７ａによる影響が発生することが考えられる。
【００９１】
これを改善するために、受信限界点近傍における入力信号レベル２０２ｆ（−１０８ｄＢｍ）が入力された場合の第２のＡＧＣ電圧２１１ｂを第２の基準電圧２２３ｂとし、第２のＡＧＣ電圧２１１ｂが第２の基準電圧２２３ｂと下限電圧２２３ｃの間の電圧となった場合に、キャンセル信号生成回路１３３から出力されるノイズキャンセル信号を保持する。
【００９２】
この位相、振幅が保持されたノイズキャンセル信号を合成回路１３１の入力１３１ａに供給し、ノイズキャンセルすればよい。これにより、受信感度点近くの入力信号を受信する場合におけるノイズキャンセル部１２７による受信品質の劣化をなくすことができる。
【００９３】
これにより、受信品質判定回路１５６におけるＢＥＲ、あるいはＣ／Ｎ等の受信品質信号の検出・判定を行う必要がなく、さらにキャンセル信号生成回路１３３における位相調整・振幅調整を行う必要がないので、低消費電力化が可能となる。
【００９４】
さらに、信号レベル判定回路１４９により、第２のＡＧＣ電圧２１１ｂが第２の基準電圧２２３ｂと第１の基準電圧２２３ｅの間の電圧となった場合には、再びノイズキャンセル部１２７の動作を開始する。
【００９５】
すなわち、受信品質判定回路１５６からの判定値に基づいてキャンセル信号生成回路１３３における振幅と位相の最適化を行い、アンテナ１１９に飛び込んだノイズ信号をノイズキャンセル部１２７によりノイズキャンセルし、テレビ信号受信時の受信品質の劣化を改善する。
【００９６】
（実施の形態２）
以下、本発明の実施の形態２について、図４を用いて説明する。図４は、本発明の高周波機器３０１の各ブロックの配置図である。
【００９７】
実施の形態１の高周波機器１０１ではノイズキャンセル部１２７を用いているのに対して、実施の形態２の高周波機器３０１の高周波受信部３０３では、合成回路３０９、キャンセル信号生成回路１３３および３０５の内蔵されたノイズキャンセル部３０７を用いている点が異なる。
【００９８】
なお、図４で使用した部品について、図１と同じものについては同一の番号を付して説明を簡略化している。
【００９９】
図４において、アンテナ整合部１２６の出力は合成回路３０９の入力３０９ａに接続され、この合成回路３０９の出力３０９ｂはチューナ部１２９の入力に接続されている。
【０１００】
また、合成回路３０９の入力３０９ｃ、３０９ｄには、キャンセル信号生成回路１３３、３０５からのノイズキャンセル用信号がそれぞれ入力され、これらキャンセル信号生成回路１３３、３０５の入力には、ピックアップアンテナ１３５、３１１が配線部１３８、３１３をそれぞれ介して接続されている。
【０１０１】
これらピックアップアンテナ１３５、３１１は、例えば、画像形成部１１５、画像表示部１０９のノイズ発生源に近接してそれぞれ設けられている。
【０１０２】
これにより、画像形成部１１５のノイズ信号はピックアップアンテナ１３５により抽出され、この抽出されたノイズ信号はキャンセル信号生成回路１３３に入力される。
【０１０３】
また、画像表示部１０９のノイズ信号はピックアップアンテナ３１１により抽出され、この抽出されたノイズ信号はキャンセル信号生成回路３０５に入力される。
【０１０４】
このキャンセル信号生成回路１３３、３０５から出力されたそれぞれのノイズキャンセル用信号は、入力３０９ｃ、３０９ｄを介して合成回路３０９に入力される。
【０１０５】
一方、合成回路３０９の入力３０９ａには、アンテナ１１９に飛び込んだ画像形成部１１５、画像表示部１０９のノイズ信号がそれぞれ入力される。
【０１０６】
これらアンテナ１１９に飛び込んだノイズ信号は、合成回路３０９においてノイズキャンセル用信号によりノイズキャンセルされる。
【０１０７】
以上のように、本発明は、テレビ信号を受信時に、ノイズ発生源からのノイズ信号がアンテナ１１９に飛び込んだとしても、複数からなるピックアップアンテナ１３５、３１１と、この複数からなるピックアップアンテナ１３５、３１１がそれぞれ接続された複数のキャンセル信号生成回路１３３、３０５と、この複数のキャンセル信号生成回路１３３、３０５からの複数のノイズキャンセル用信号がそれぞれ入力される合成回路３０９により、アンテナ１１９に飛び込んだ複数のノイズ信号をそれぞれキャンセルすることができる。
【０１０８】
以上のように、信号レベル判定回路１４９により増幅器１４５を利得制御する第２のＡＧＣ電圧２１１ｃを第１の基準電圧２２３ｅと比較・判定する。
【０１０９】
これにより、弱電界受信であって、さらに移動中におけるフェージングにより受信レベルが刻々と変化する受信状態であっても、ノイズ発生源からのノイズ信号がアンテナ１１９に飛び込むことにより受信品質が劣化する受信条件を瞬時に判定することができる。
【０１１０】
この判定結果に基づいて、ノイズキャンセル部３０７の動作を開始し、アンテナ１１９に飛び込んだノイズ信号をノイズキャンセル部３０７によりキャンセルし、受信品質を改善できる。
【０１１１】
一方、受信条件のよい場合には、ノイズキャンセル部３０７の動作を停止できるので、低消費電力とした高周波機器３０１を実現できる。
【０１１２】
さらに、ノイズキャンセル部３０７によりノイズキャンセルが行われ、入力信号レベル２０２ｆ（−１０８ｄＢｍ）を受信できる限界レベルである受信感度となった場合についても実施の形態１と同様である。
【０１１３】
すなわち、受信限界である入力信号レベル（−１０８ｄＢｍ）における第２のＡＧＣ電圧２１１ｃにおける電圧を第２の基準電圧２２３ｂとし、第２のＡＧＣ電圧２１１ｂが第２の基準電圧２２３ｂと下限電圧２２３ｃの間の電圧となった場合に、ノイズキャンセル部３０７の動作を停止する。
【０１１４】
これにより、受信感度点近くの入力信号を受信する場合における受信品質の劣化をなくすことができる。また、ノイズキャンセル部３０７の動作を停止できるので、低消費電力とした高周波機器３０１を実現できる。
【０１１５】
（実施の形態３）
以下、本発明の実施の形態３について、図５を用いて説明する。図５は、本発明の高周波機器４０１の各ブロックの配置図である。
【０１１６】
実施の形態２の高周波機器３０１に対して、本実施の形態の高周波機器４０１の高周波受信部４０３では、アンテナ１１９、４１９と、アンテナ整合部１２６、４２６と、ノイズキャンセル部３０７、４０７と、チューナ部１２９、４２９と、復調部１３０、４３０と、ダイバシティ・デコード部４３２を設け、ダイバシティ受信可能としている点が異なる。
【０１１７】
なお、図５で使用した部品について、図１と同じものについては同一の番号を付して説明を簡略化している。
【０１１８】
図５において、高周波受信部４０３のノイズキャンセル部４０７は、アンテナ整合部４２６の出力が入力４３５ａに接続されるとともに出力４３５ｂにチューナ部４２９の入力が接続される合成回路４３５と、合成回路４３５の入力４３５ｃに接続されるキャンセル信号生成回路４３７と、合成回路４３５の入力４３５ｄに接続されるキャンセル信号生成回路４３９から構成されている。
【０１１９】
また、キャンセル信号生成回路１３３および４３７の入力にはピックアップアンテナ１３５が配線部１３８を介してそれぞれ接続され、キャンセル信号生成回路３０５および４３９の入力にはピックアップアンテナ３１１が配線部３１３を介してそれぞれ接続されている。
【０１２０】
さらに、システム制御部１１３には、チューナ部１２９に内蔵された信号レベル判定回路１４９（図示せず）、チューナ部４２９に内蔵された信号レベル判定回路４２９ａ（図示せず）のいずれか一方あるいは両方の出力が入力されている。
【０１２１】
また、システム制御部１１３により、高周波受信部４０３のシングル受信とダイバシティ受信の選択あるいはノイズキャンセル部３０７、４０７を制御する。
【０１２２】
これにより、画像形成部１１５からのノイズ信号は、ピックアップアンテナ１３５によりキャンセル信号生成回路１３３および４３７に入力され、ピックアップアンテナ３１１により抽出されたノイズ信号はキャンセル信号生成回路３０５、４３９に入力される。
【０１２３】
このキャンセル信号生成回路１３３、３０５からのノイズキャンセル用信号が入力される合成回路３０９により、アンテナ１１９に飛び込んだそれぞれのノイズ信号をノイズキャンセルすることができる。
【０１２４】
同様に、キャンセル信号生成回路４３７、４３９からのノイズキャンセル用信号が入力される合成回路４３５により、アンテナ１１９に飛び込んだそれぞれのノイズ信号をノイズキャンセルすることができる。
【０１２５】
このようにして、２つのピックアップアンテナ１３５、３１１により画像形成部１１５、画像表示部１０９から抽出されたそれぞれのノイズ信号は、２つのノイズキャンセル部３０７、４０７に入力される。さらに、この２つのノイズキャンセル部３０７、４０７によりアンテナ１１９、４１９に飛び込んだ２つのノイズ信号はそれぞれノイズキャンセルされる。
【０１２６】
つまり、複数のノイズ信号が存在する場合であっても、複数のピックアップアンテナと複数のノイズキャンセル部を設けることにより、アンテナ１１９、４１９に飛び込んだノイズ信号をキャンセルできる。
【０１２７】
これらノイズキャンセルされたそれぞれの信号は、チューナ部１２９と復調部１３０、チューナ部４２９と復調部４３０をそれぞれ介してダイバシティ・デコード部４３２に入力される。このダイバシティ・デコード部４３２は、入力された２つの復調信号の選択あるいは合成が行われ、シングル受信とダイバシティ受信が選択される。
【０１２８】
以上のように、ダイバシティ受信可能な高周波機器４０１は、実施の形態１の高周波機器１０１と同様に、ノイズ発生源から輻射されるノイズ信号がアンテナ１１９に飛び込んだとしても、これらノイズ信号を抽出する複数のピックアップアンテナ１３５、３１１と、この複数のピックアップアンテナ１３５、３１１がそれぞれ接続されるノイズキャンセル部３０７、４０７により、複数のノイズ信号をキャンセルすることができる。
【０１２９】
従って、実施の形態１と同様に、信号レベル判定回路１４９、４２９ａ（ともに図示せず）により増幅器１４５、４２９ａ（ともに図示せず）の第２のＡＧＣ電圧２１１ｃを第１の基準電圧２２３ｅと比較・判定する。
【０１３０】
これにより、弱電界受信であって、さらに移動中に生じるフェージングにより受信レベルが刻々と変化する受信状態であっても、ノイズ発生源からのノイズ信号がアンテナ１１９、４１９に飛び込むことにより受信品質が劣化した受信条件を瞬時に判定することができる。
【０１３１】
この判定結果に基づいて、ノイズキャンセル部３０７、４０７の動作を開始し、アンテナ１１９、４１９に飛び込んだノイズ信号は、ノイズキャンセル部３０７、４０７によりキャンセルされ、テレビ信号受信時の受信品質を改善できる。
【０１３２】
一方、受信条件のよい場合には、ノイズキャンセル部３０７、４０７の動作を停止できるので、低消費電力とした高周波機器４０１を実現できる。
【０１３３】
なお、受信品質の劣化の起因するノイズ発生源がひとつの場合には、ノイズキャンセル部３０７に内蔵したキャンセル信号生成回路３０５、およびノイズキャンセル部４０７に内蔵したキャンセル信号生成回路４３９を削除して用いてもよい。
【０１３４】
さらに、ノイズキャンセル部３０７、４０７によりノイズキャンセルが行われ、入力信号レベル２０２ｆ（−１０８ｄＢｍ）を受信できる限界レベルである受信感度となった場合についても実施の形態１と同様である。
【０１３５】
すなわち、受信限界である入力信号レベル（−１０８ｄＢｍ）における第２のＡＧＣ電圧を第２の基準電圧２２３ｂとし、第２のＡＧＣ電圧２１１ｂが第２の基準電圧２２３ｂと下限電圧２２３ｃの間の電圧となった場合に、ノイズキャンセル部３０７、４０７の動作を停止する。
【０１３６】
これにより、受信感度点近くの入力信号を受信する場合における受信品質の劣化をなくすことができる。また、ノイズキャンセル部３０７、４０７の動作を停止できるので、低消費電力とした高周波機器４０１を実現できる。
【産業上の利用可能性】
【０１３７】
以上の如く本発明は、テレビ信号の受信可能な携帯電話、携帯式のゲーム機、携帯式のコンピュータ、携帯式の辞書、カーナビゲーション等に用いることができる。
【図面の簡単な説明】
【０１３８】
【図１】本発明の実施の形態１における高周波機器のブロック図
【図２】（ａ）同、ノイズキャンセル前の復調部への入力信号を示す図、（ｂ）同、ノイズキャンセル後の復調部への入力信号を示す図
【図３】（ａ）同、入力信号レベルに対する第１のＡＧＣ電圧の特性図、（ｂ）同、入力信号レベルに対する第２のＡＧＣ電圧の特性図
【図４】本発明の実施の形態２における高周波機器のブロック図
【図５】本発明の実施の形態３における高周波機器のブロック図
【符号の説明】
【０１３９】
１０３  高周波受信部
１１７  入力端子
１２７  ノイズキャンセル部
１３０  復調部
１３７  利得制御器
１３９  増幅器
１４１  混合器
１４５  増幅器
１４９  信号レベル判定回路
【図１】
2009253314.tif 000006
【図２】
2009253314.tif 000007
【図３】
2009253314.tif 000008
【図４】
2009253314.tif 000009
【図５】
2009253314.tif 000010